(57)【特許請求の範囲】
【請求項１】
一面に開口部を有する箱状のボディと、前記開口部より内部に収納された電線接続用の導電部材と、前記開口部を閉塞するカバーと、前記ボディと同構造であって導電部材を収納させる開口部が前記ボディの前記開口部と反対側の側面で閉塞されるように前記ボディに連結された別ボディとを備え、
前記ボディの前記導電部材に接続する電線を挿入する電線挿入孔を、前記ボディの前記開口部の縁部に形成した電線挿入用溝と前記カバーの対向面とで形成し、前記電線挿入用溝は電線の被覆部を挿入させる深い溝と前記電線の心線を通す浅い溝を有し、前記カバーの前記対向面は前記深い溝に対向して前記電線の前記被覆部を挿入させる溝のみを有し、
前記ボディは、前記別ボディの電線挿入用溝に対向する対向面に前記別ボディの前記電線挿入用溝とともに電線挿入孔を形成する溝を設けた電線接続器。
【請求項２】
前記電線挿入用溝の前記浅い溝の深さは電線の心線の径より大きい請求項１記載の電線接続器。
【請求項３】
前記電線挿入孔は、前記ボディの開口面に対して垂直な平面部を有する請求項１または請求項２記載の電線接続器。
【発明の詳細な説明】
【０００１】
【発明の属する技術分野】
この発明は、速結端子などの電線接続器に関するものである。
【０００２】
【従来の技術】
従来例を図９に示す。すなわち、一面に開口部１００を有して開口部１００を閉じるように並列に連結された箱状の複数のボディ１０１ａ、１０１ｂと、開口部１００のそれぞれより内側に収納された電線接続用導電部材（図示せず）と、複数並んだボディ１０１ａの端部に開いた開口部１００を閉塞するカバー１０２とを備え、電線接続用導電部材に接続する電線挿入孔１０３をボディ１０１ａ、１０１ｂにそれぞれ形成している。
【０００３】
図９（ｂ）において、Ａは電線挿入孔１０３間のピッチ、ｂはボディ１０１ａ、１０１ｂの孔縁から外側面までの寸法である。
【０００４】
【発明が解決しようとする課題】
しかし、この電線接続器は、各ボディ１０１ａ、１０１ｂの開口部の開口方向の厚さを小さくすると、ピッチＡの狭い電線接続器が得られるが、電線の径は変わらないため、寸法ｂが小さくなり電線挿入孔１０３の部分が肉薄になるので、ボディ１０１ａ、１０１ｂの絶縁性能の確保が困難になる。そのため肉薄部に必要な厚さを確保すると逆に電線挿入孔のピッチがその分広くなる。
【０００５】
したがって、この発明の目的は、絶縁性能を確保しながら電線挿入孔のピッチを狭くすることができる電線接続器を提供することである。
【０００６】
【課題を解決するための手段】
請求項１記載の電線接続器は、一面に開口部を有する箱状のボディと、前記開口部より内部に収納された電線接続用の導電部材と、前記開口部を閉塞するカバーと、前記ボディと同構造であって導電部材を収納させる開口部が前記ボディの前記開口部と反対側の側面で閉塞されるように前記ボディに連結された別ボディとを備え、
前記ボディの前記導電部材に接続する電線を挿入する電線挿入孔を、前記ボディの前記開口部の縁部に形成した電線挿入用溝と前記カバーの対向面とで形成し、前記電線挿入用溝は電線の被覆部を挿入させる深い溝と前記電線の心線を通す浅い溝を有し、前記カバーの前記対向面は前記深い溝に対向して前記電線の前記被覆部を挿入させる溝のみを有し、
前記ボディは、前記別ボディの電線挿入用溝に対向する対向面に前記別ボディの前記電線挿入用溝とともに電線挿入孔を形成する溝を設けたものである。
【０００７】
請求項１記載の電線接続器によれば、電線挿入孔を開口部とカバーとで形成したため、ボディの電線挿入孔の部分の肉厚を大きくできるので、電線挿入孔のピッチを狭くできるとともに、絶縁性能を確保することができる。
【０００９】
また、別ボディの開口部をボディの開口部と反対側の側面で閉塞するように別ボディをボディに連結したため、極数を増加することができるとともに全体形状の小形化が図れる。
【００１２】
請求項２記載の電線接続器は、請求項１において、前記電線挿入用溝の前記浅い溝の深さは電線の心線の径より大きいものである。
【００１３】
請求項２記載の電線接続器によれば、請求項１と同様な効果のほか、電線に外力が加わってもカバーとボディまたは別ボディとボディが外れにくい。
【００１４】
請求項３記載の電線接続器は、請求項１または請求項２において、前記電線挿入孔が、前記ボディの開口面に対して垂直な平面部を有するものである。
【００１５】
請求項３記載の電線接続器によれば、請求項１または請求項２と同様な効果のほか、平面部で電線に加わる外力を受けることができる。
【００１６】
【発明の実施の形態】
この発明の第１の実施の形態を図１により説明する。すなわち、この電線接続器は、ボディ１と、電線接続用の導電部材２と、カバー３を有する。
【００１７】
ボディ１は、一面に開口部４を有する箱状である。ボディ１は合成樹脂製であり、開口部４からみて略四角形であり、その一角部に電線挿入用溝５が形成され、開口部４と反対側で電線挿入用溝５の位置に溝６を形成している。電線挿入用溝５の深さは電線の心線の径より大きく、電線挿入用溝５は電線被覆部を挿入させる深い溝の溝部５ａと心線を通す浅い溝の溝部５ｂを形成している。開口部４の電線挿入用溝５に隣接する上辺９の略中央部に解錠ボタン挿通部７を設けている。この解錠ボタン挿通部７はその外端縁部に抜止め突起７ａを形成しており、解錠ボタン（図示せず）は挿通部７に出没自在に挿入され、抜止め突起７ａに解錠ボタンの引掛突起（図示せず）が引っ掛かって抜け止めされている。上辺９に隣接する側辺１０の上辺寄りの位置および電線挿入用溝５に隣接する側辺１１の下寄りの位置に、それぞれ開口部４側に連結爪８、１２を突設し、連結爪８、１２の位置で開口部４と反対側に別ボディ（後述）の連結爪を挿入するための凹部１３を設け、凹部１３の側面に引掛穴１４ａ、１４ｂを形成している。また開口部４の側辺１０の連結爪８と反対側および側辺１１の連結爪１２と反対側にそれぞれ位置決め突条１５、１６を設け、これらの位置でボディ１の開口部４と反対側に凹条を形成している。また開口部４内は扁平な輪状の凹溝が形成され、その内側に位置決め突起１７を開口部４の外に向けて突出し、この位置でボディ１の開口部４と反対側に凹部を形成している。開口部４の下辺１８の離間した２個所にそれぞれ端子板挿通溝１９ａ、１９ｂを形成している。
【００１８】
導電部材２は、開口部４より内部に収納されている。実施の形態では金属製のばね性の導電板を扁平な輪状に形成し、開口部４の凹溝に収納している。すなわち、開口部４の開口面に対して導電板の平面が垂直となる姿勢で挿入されている。導電部材２の一端を約半分の幅にして端子部２０とし、電線挿入用溝５の内方への延長線上に電線挿入用溝５と平行な姿勢で解錠ボタン挿通部７に臨ませて配置し、他端を鎖錠部２１として端子部２０の内側に近接している。挿通部７に挿入された解錠ボタンの先端は細幅の端子部２０の近傍を通って鎖錠部２１に乗っている。したがって、解錠ボタンを押し込むと鎖錠部２１が押されて弾性変形し端子部２０から離れ電線の解錠が可能になる。また端子部２０と反対側より端子片２２を切起こし、端子片２２を端子板挿通溝１９ａより外部に引出ている。
【００１９】
カバー３は、開口部４を閉塞する。実施の形態では、絶縁材料例えば合成樹脂製の四角形平板であり、ボディ１の電線挿入用溝５に対応する溝６ａを形成し、突条１５、１６に対応する凹条（図示せず）を形成し、連結爪８、１２に対応する凹部２４と引掛穴２５をそれぞれ形成し、さらに突起１７に対応する凹部を形成している。実施の形態の溝６ａは電線の被覆部を挿入させる形状にしている（図８（ｂ）参照）。
【００２０】
組み立てについて、ボディ１の開口部４から凹溝に導電部材２を収納し、端子板２２を挿通溝１９ａから引出し、挿通部７に解錠ボタン（図示せず）を挿入し、先端部を鎖錠部２１上に載せ、抜止め突起７ａに抜止め係止する。カバー３で開口部４を閉塞し、突条１５、１６に凹条を嵌合しつつ突起１７を凹部に挿入し、連結爪８、１２に引掛穴２５を引っ掛ける。これによりカバー３がボディ１に取付けられ、導電部材２および解錠ボタンを収納した開口部４が閉じられ、導電部材２に接続する電線を挿入する電線挿入孔２８が開口部４の縁部に形成された電線挿入用溝５とカバー３の対向面の溝６ａとで形成される。この場合、電線は被覆部が電線挿入用溝５の溝部５ａと溝６ａで形成された孔に挿入され、心線は溝部５ｂとカバー３の表面とで形成された孔を貫通する。
【００２１】
図２および図３は、第１の実施の形態の変形形態であり、ボディ１の開口部４の縁部の突条１６を短くして上端部側に連結爪３０を追加し、連結爪３０の位置でボディ１の開口部４と反対側に別ボディの連結爪を挿入させる凹部３１および引掛孔３２を形成し、カバー３に連結爪３０が係止する引掛孔３３を形成している。開口部４内の凹溝４ａに収納した導電部材２を想像線で示している。３５は解錠ボタン挿通部７に挿通される解錠ボタン、３６は電線挿入孔２８に臨んだ被覆電線であり、心線３６ａと被覆部３６ｂを有する。
【００２２】
ボディ１の開口部４より導電部材２と解錠ボタン３５を挿入し、開口部４を閉塞するように連結爪８、１２、３３をカバー３の引掛孔２５、３３に引掛連結すると、図３の状態になる。
【００２３】
また図２は、電線を挿入する状態を示している。被覆電線３６の端部の心線３６ａを被覆部３６ｂより突出して電線３６を電線挿入孔２８に挿入すると、心線３６ａが電線挿入用溝５の溝部５ｂを貫通し、被覆部３６ｂが溝部５ａと溝６ａ内に位置決めされる。心線３６ａの先端部は端子部２０に平行に端子部２０の内側に沿って進入し、鎖錠部２１を越えて鎖錠部２１で端子部２０に押付けられながら挿入される。このとき鎖錠部２１は端子部２０の電線挿入孔２８側のわん曲部２ａが弾性変形し、そのばね力で心線３６ａに強く押しつけ、電線３６を引き抜く方向に引いたときは鎖錠部２１が心線３６ａに食い込んで鎖錠する。
【００２４】
図４は、ボディ１の別の変形形態を示し、上記した連結爪８、１２、３０および凹部１３、３１および引掛孔１４ａ、１４ｂ、３２を除去したものである。この場合、ボディ１とカバー３の外側を抱持するなどの別部材の連結手段により、両者を連結する。
【００２５】
上記第１の実施の形態および各変形形態は、電線挿入孔２８を２部品で形成しているため、１部品についての金型構造が簡単になる。従来例の場合では電線挿入孔を形成するために金型でスライド構造が必要になるのに対して、１部品で電線挿入孔を形成していないので、スライド構造が不要になる。
【００２６】
この発明の第２の実施の形態を図５および図６により説明する。すなわち、別部品として、第１の実施の形態のボディ１と同構造であって開口部４より導電部材２および解錠ボタン３５を収納した別ボディ３７を第１の実施の形態に追加している。別ボディ３７の開口部４をボディ１の開口部４と反対側の側面３８に閉塞するようにボディ１に連結する。このとき、別ボディ３７の突条１５、１６をこれに対応するボディ１の凹条に嵌合し、別ボディ３７の連結爪８、１２、３０に対応するボディ１の凹部１３、３１に挿入し、引掛孔１４ａ、１４ｂ、３２に引掛けている。また、各ボディ１、３７に収納された導電部材２の端子板２２、２２ａは、それぞれ別の端子板挿通溝１９ａ、１９ｂから外部に引き出せるように切起こし位置が異なるものを使用し、これにより端子板１９ａ間の絶縁距離を確保することができる。
【００２７】
ボディ１と別ボディ３７の連結により、ボディ１の溝６と別ボディ３７の電線挿入用溝５とで電線挿入孔２８ａが形成される。
【００２８】
図６（ａ）に示すように、電線挿入孔２８、２８ａ間のピッチＡを従来例と同じにすると、孔間の距離は肉厚２ｂとなるので従来例と比べて絶縁性能が高くなり、外殻強度が強い。一方、図６（ｂ）に示すように肉厚ｃをｂ＜ｃ≦２ｂとすることで、従来よりも外殻強度を小さくすることなく挿入孔ピッチを狭ピッチにすることができる。
【００２９】
この発明の第３の実施の形態を図７および図８に示す。電線挿入孔２８、２８ａは、各ボディ１、３７の電線挿入用溝５の電線挿入孔Ｐの中心からの深さよりも寸法Ｑだけ溝深さを深くし、その部分すなわち孔縁の上辺９および側辺１１側に、ボディ１、３７の孔の開口面に対して垂直な平面部４０をそれぞれ形成している。また心線を挿通する溝部５ｂの断面もほぼ角形に形成している。溝５ｂは、図８（ａ）に示すように挿入される心線３６ａが十分に収まる孔径になる深さ以下の深さＲ1 、Ｒ2 を有し、この場合図８（ｂ）に示すように溝６、６ａの心線挿通部分は電線挿入用溝５とで電線挿入孔２８、２８ａを形成したとき、カバー３では平面であるが、ボディ１には別ボディ３７に対して心線３６ａが通る溝６を形成している。また電線挿入用溝５の溝部５ａには、電線の絶縁被覆部３６ｂの厚みが十分に収まる深さがある。その他は第１の実施の形態および第２の実施の形態と同様である。
【００３０】
第３の実施の形態によれば、電線接続用溝の深さは電線の心線の径より大きいため、電線に外力が加わってもカバー３とボディ１または別ボディ３７とボディ１が外れにくい。また電線挿入孔２８、２８ａの中心Ｐよりも溝深さが寸法Ｑだけ深い部分の壁面で、電線の心線３６ａに外力が加わった時に外力をうけるが、被覆部３６ｂは平面部４０で、また心線３６ａはボディ１、３７の角形の溝５ｂの部位で、電線に外力が加わった時に外力を受けるため、１部品で電線に加わる外力を受けるので、ボディ１と別ボディ３７またはボディ１とカバー３が分離しにくい。
【００３１】
なお、この発明において、実施の形態では別ボディは１個であったが、２個以上の多数を順次並列に連結してもよい。
【００３２】
【発明の効果】
請求項１記載の電線接続器によれば、電線挿入孔を開口部と別部品とで形成したため、ボディの電線挿入孔の部分の肉厚を大きくできるので、電線挿入孔のピッチを狭くできるとともに、絶縁性能を確保することができる。
【００３３】
また、別ボディの開口部をボディの開口部と反対側の側面で閉塞するように別ボディをボディに連結したため、極数を増加することができるとともに全体形状の小形化が図れる。
【００３５】
請求項２記載の電線接続器によれば、請求項１と同様な効果のほか、電線に外力が加わってもカバーとボディまたは別ボディとボディが外れにくい。
【００３６】
請求項３記載の電線接続器によれば、請求項１または請求項２と同様な効果のほか、平面部で電線に加わる外力を受けることができる。
【図面の簡単な説明】
【図１】この発明の第１の実施の形態の分解斜視図である。
【図２】変形形態のボディの斜視図である。
【図３】外観斜視図である。
【図４】別の変形形態のボディの斜視図である。
【図５】第２の実施の形態の斜視図である。
【図６】電線挿入孔のピッチを説明する説明図である。
【図７】第３の実施の形態の電線挿入孔を説明する斜視図である。
【図８】（ａ）は電線挿入孔を説明する平面図、（ｂ）は電線挿入孔の断面図である。
【図９】（ａ）は従来例の斜視図、（ｂ）は電線挿入孔のピッチを説明する説明図である。
【符号の説明】
１    ボディ
２    導電部材
３    カバー
４    開口部
５    電線挿入用溝
６    溝
２８    電線挿入孔
２８ａ    電線挿入孔
３７    別ボディ
４０    平面部
【図１】
0003745969.tif 000002
【図２】
0003745969.tif 000003
【図３】
0003745969.tif 000004
【図４】
0003745969.tif 000005
【図５】
0003745969.tif 000006
【図６】
0003745969.tif 000007
【図７】
0003745969.tif 000008
【図８】
0003745969.tif 000009
【図９】
0003745969.tif 000010